(57)【要約】【課題】用紙単位での動作結果の判定を容易に行えるようにした画像形成装置を提供する。【解決手段】制御部１００は、用紙搬送部２、画像形成部１１及び定着部３等の各処理部から、画像を形成する一連のプロセスで動作結果を取得し、動作結果履歴を記憶部１０１に保存する。制御部１００は、動作結果履歴から用紙毎の用紙単位動作結果履歴を収集し、用紙単位動作結果履歴と規格値、または他用紙の用紙単位動作結果履歴を比較して、動作結果を判定し、判定した結果を操作部１０２に出力する。【選択図】図２
2018157392.tif 000002
【特許請求の範囲】
【請求項１】
用紙に画像を形成するプロセスを実行する少なくとも１つの処理手段と、
前記処理手段で取得した動作結果を時系列で記憶する記憶手段と、
前記記憶手段に記憶された動作結果から、用紙毎の用紙単位動作結果を収集する制御手段とを備え、
前記制御手段は、
指定された用紙の用紙単位動作結果と、用紙単位動作結果を判定する比較対象値を出力手段に出力する
ことを特徴とする画像形成装置。
【請求項２】
前記制御手段は、
指定された用紙の用紙単位動作結果と、用紙単位動作結果を判定する比較対象値を比較し、指定された用紙の状態を判定して、判定結果を前記出力手段に出力する
ことを特徴とする請求項１に記載の画像形成装置。
【請求項３】
前記制御手段は、
指定された用紙の用紙単位動作結果と、指定された用紙より前または後で画像を形成するプロセスが実行された用紙の用紙単位動作結果を比較し、指定された用紙の状態を判定して、判定結果を前記出力手段に出力する
ことを特徴とする請求項１に記載の画像形成装置。
【請求項４】
前記制御手段は、
指定された用紙の用紙単位動作結果と、指定された用紙より前または後で画像を形成するプロセスが実行された用紙であって、指定された用紙と同等の紙種条件の用紙の用紙単位動作結果を比較し、指定された用紙の状態を判定して、判定結果を前記出力手段に出力する
ことを特徴とする請求項３に記載の画像形成装置。
【請求項５】
前記制御手段は、
指定された用紙の用紙単位動作結果と、比較対象として選択された他の用紙の用紙単位動作結果を比較し、指定された用紙の状態を判定して、判定結果を前記出力手段に出力する
ことを特徴とする請求項１に記載の画像形成装置。
【請求項６】
用紙単位動作結果を判定する用紙が選択される操作手段を備えた
ことを特徴とする請求項１〜請求項５の何れか１項に記載の画像形成装置。
【請求項７】
前記制御手段は、用紙単位動作結果を判定する用紙として、用紙に画像を形成するプロセスで異常を検知した用紙を指定する
ことを特徴とする請求項１〜請求項５の何れか１項に記載の画像形成装置。
【発明の詳細な説明】
【技術分野】
【０００１】
本発明は、像担持体に形成されたトナー画像を用紙に転写、定着させて画像を形成する画像形成装置に関する。
【背景技術】
【０００２】
従来から ジャムやサービスマンコール（ＳＣ）発生時に原因解析のため画像形成装置内の各プロセスの動作結果を保存するログ保存システムが知られている。例えば、ジャムやサービスマンコール発生などのイベント条件にＩＤ管理して、所定の情報のログを管理するシステムが提案されている（例えば、特許文献１参照）。また、ログデータから必要な情報を選択して、グラフィカルインターフェース（ＣＵＩ）で管理者に提供するシステムが提案されている（例えば、特許文献２参照）。
【先行技術文献】
【特許文献】
【０００３】
【特許文献１】特開２００９−２５３５６４号公報
【特許文献２】特開２００６−０９９７４５号公報
【発明の概要】
【発明が解決しようとする課題】
【０００４】
しかし、従来のログ情報では、ジャムやサービスマンコール等のイベントのタイミングで機械状態のログは保存されるが、現場で作業をする作業者がログを解析することを前提としておらず、障害の原因を推定することができなかった。
【０００５】
ログ情報は、画像形成装置内の各プロセスから出力される動作状態を時系列に保存しているものであり、例えばジャムが発生した用紙の各種動作結果を画像形成装置での用紙の給紙から、画像形成プロセス、排紙処理に至るまで 特定の用紙がどのような状態にあったかを知りたい場合には、時系列に保存されたデータを処理して解析が必要であったため、特定用紙に発生した障害を解析することは困難であった。
【０００６】
本発明は、このような課題を解決するためなされたもので、用紙単位での動作結果の判定を容易に行えるようにした画像形成装置を提供することを目的とする。
【課題を解決するための手段】
【０００７】
上述した課題を解決するため、請求項１に係る発明は、用紙に画像を形成するプロセスを実行する少なくとも１つの処理手段と、処理手段で取得した動作結果を時系列で記憶する記憶手段と、記憶手段に記憶された動作結果から、用紙毎の用紙単位動作結果を収集する制御手段とを備え、制御手段は、指定された用紙の用紙単位動作結果と、用紙単位動作結果を判定する比較対象値を出力手段に出力する画像形成装置である。
【０００８】
請求項２に係る発明は、制御手段は、指定された用紙の用紙単位動作結果と、用紙単位動作結果を判定する比較対象値を比較し、指定された用紙の状態を判定して、判定結果を出力手段に出力する請求項１に記載の画像形成装置である。
【０００９】
請求項３に係る発明は、制御手段は、指定された用紙の用紙単位動作結果と、指定された用紙より前または後で画像を形成するプロセスが実行された用紙の用紙単位動作結果を比較し、指定された用紙の状態を判定して、判定結果を出力手段に出力する請求項１に記載の画像形成装置である。
【００１０】
請求項４に係る発明は、制御手段は、指定された用紙の用紙単位動作結果と、指定された用紙より前または後で画像を形成するプロセスが実行された用紙であって、指定された用紙と同等の紙種条件の用紙の用紙単位動作結果を比較し、指定された用紙の状態を判定して、判定結果を出力手段に出力する請求項３に記載の画像形成装置である。
【００１１】
請求項５に係る発明は、制御手段は、指定された用紙の用紙単位動作結果と、比較対象として選択された他の用紙の用紙単位動作結果を比較し、指定された用紙の状態を判定して、判定結果を出力手段に出力する請求項１に記載の画像形成装置である。
【００１２】
請求項６に係る発明は、用紙単位動作結果を判定する用紙が選択される操作手段を備えた請求項１〜請求項５の何れか１項に記載の画像形成装置である。
【００１３】
請求項７に係る発明は、制御手段は、用紙単位動作結果を判定する用紙として、用紙に画像を形成するプロセスで異常を検知した用紙を指定する請求項１〜請求項５の何れか１項に記載の画像形成装置である。
【発明の効果】
【００１４】
本発明によれば、用紙に画像を形成するプロセスで取得され、画像形成装置で保存している動作結果の中から、所望の用紙に対する用紙単位動作結果を収集し、用紙単位動作結果と比較対象値を比較して、用紙単位動作結果を判定することができる。
【００１５】
これにより、障害が発生した用紙において、どのような異常が発生したのか予測、推定を行うことができ、不具合の解析を容易に行うことができる。
【図面の簡単な説明】
【００１６】
【図１】本実施の形態の画像形成装置の一例を示す構成図である。
【図２】本実施の形態の画像形成装置の制御機能の一例を示す機能ブロック図である。
【図３】用紙単位動作結果履歴を収集する動作の一例を示すフローチャートである。
【図４】動作結果履歴の一例を示す説明図である。
【図５】用紙単位動作結果履歴の一例を示す説明図である。
【図６】指定した用紙単位で動作結果の判定を行う動作の一例を示すフローチャートである。
【図７】規格値判定画面の一例を示す説明図である。
【図８】他用紙比較判定画面の一例を示す説明図である。
【図９】異常の有無を判定した用紙単位で動作結果の判定を行う動作の一例を示すフローチャートである。
【図１０】他用紙比較判定において他用紙を選択する動作の一例を示すフローチャートである。
【図１１】他用紙比較判定において他用紙を選択する動作の他の例を示すフローチャートである。
【発明を実施するための形態】
【００１７】
以下、図面を参照して、本発明の画像形成装置の実施の形態について説明する。
【００１８】
＜本実施の形態の画像形成装置の構成例＞
図１は、本実施の形態の画像形成装置の一例を示す構成図である。本実施の形態の画像形成装置１Ａは、例えば複写機といった電子写真方式の画像形成装置であり、本例では、複数の感光体を一本の中間転写ベルトに対面させて配列することによりフルカラーの画像を形成する、カラー画像形成装置である。
【００１９】
画像形成装置１Ａは、イエロー（Ｙ）の画像を形成する画像形成部１１Ｙと、マゼンダ（Ｍ）の画像を形成する画像形成部１１Ｍと、シアン（Ｃ）の画像を形成する画像形成部１１Ｃと、ブラック（ＢＫ）の画像を形成する画像形成部１１ＢＫを備える。
【００２０】
各画像形成部１１Ｙ、１１Ｍ、１１Ｃ、１１Ｂｋは画像形成手段の一例で、感光体ドラム１２と、感光体ドラム１２を帯電させる帯電部１３と、感光体ドラム１２に潜像を形成する光書込部１４と、潜像を現像する現像装置１５と、感光体ドラム１２を清掃、除電する清掃部１６を備える。
【００２１】
感光体ドラム１２は像担持体の一例で、清掃部１６で清掃、除電された表面が帯電部１３により帯電され、光書込部１４による走査露光により潜像が形成される。現像装置１５は現像手段の一例で、感光体ドラム１２にトナーを供給する。
【００２２】
各画像形成部１１Ｙ、１１Ｍ、１１Ｃ、１１Ｂｋは、感光体ドラム１２に現像装置１５からトナーが供給されることで、潜像が現像されて顕像化される。画像形成部１１Ｙでは、感光体ドラム１２上にイエローに対応するトナー画像が形成される。画像形成部１１Ｍでは、感光体ドラム１２上に所定色の画像としてマセンダに対応するトナー画像が形成される。画像形成部１１Ｃでは、感光体ドラム１２上にシアンに対応するトナー画像が形成される。画像形成部１１Ｂｋでは、感光体ドラム１２上にブラックに対応するトナー画像が形成される。
【００２３】
画像形成装置１Ａは、感光体ドラム１２に形成されたトナー画像が１次転写される中間転写ベルト１７と、中間転写ベルト１７にトナー画像を転写する１次転写ローラ１７ａを備える。各感光体ドラム１２上に形成されたトナー画像は、像担持体の一例でベルト状の中間転写体である中間転写ベルト１７が矢印方向に駆動されることで、各１次転写ローラ１７ａにより中間転写ベルト１７上の所定位置へと逐次転写される。
【００２４】
画像形成装置１Ａは、中間転写ベルト１７上に転写された各色よりなるトナー画像を用紙Ｐ等に２次転写する２次転写部１８を備える。２次転写部１８は転写手段の一例で、用紙Ｐの一方の面と対向する側に中間転写ベルト１７が設けられ、用紙Ｐの他方の面と対向する側に２次転写ローラ１８ａが設けられる。
【００２５】
２次転写部１８は、転写部材である２次転写ローラ１８ａが中間転写ベルト１７に対して離接する方向へ移動可能に設けられ、２次転写ローラ１８ａが中間転写ベルト１７に押圧されることにより転写ニップ部１９が形成される。２次転写部１８では、転写ニップ部１９で用紙Ｐが中間転写ベルト１７に押圧され、２次転写ローラ１８ａが中間転写ベルト１７と等速で回転駆動されることで、用紙Ｐにトナー画像が転写される。
【００２６】
２次転写部１８では、用紙にトナー画像を転写させるため、２次転写ローラ１８ａで用紙の裏面側から正の電圧を印加する。これにより、２次転写部１８を通過した用紙は、トナー画像が転写される画像形成面側が負極に、裏面が正極に帯電する。
【００２７】
画像形成装置１Ａは、用紙Ｐ等を搬送する用紙搬送部２を備える。また、画像形成装置１Ａは、用紙Ｐが収納される本例では複数の給紙トレイ２１と、給紙トレイ２１に収納された用紙Ｐを繰り出す給紙部２１ａを備える。
【００２８】
用紙搬送部２は搬送手段の一例で、２次転写部１８を通る用紙Ｐの搬送経路を構成する主搬送路２３と、用紙Ｐの表裏を反転させる搬送経路を構成する反転搬送路２４を備える。主搬送路２３は、給紙部２１ａから繰り出される用紙Ｐの搬送経路及び外部給紙口２２から給紙される用紙等の搬送経路が合流し、排出口２５につながる。
【００２９】
反転搬送路２４は、用紙Ｐの搬送方向を逆転させて、表裏を判定する搬送経路を構成する。用紙搬送部２は、主搬送路２３と反転搬送路２４の分岐箇所に切換ゲート２３ａを備え、用紙Ｐの表裏両面に画像を形成する動作で、用紙Ｐの通紙経路を切り替える。
【００３０】
画像形成装置１Ａは、２次転写部１８で用紙Ｐに転写されたトナー画像を定着させる定着部３を備える。定着部３は定着手段の一例で、用紙Ｐを加熱する定着ベルト３０と、定着ベルト３０に用紙Ｐを押圧する加圧ローラ３１を備える。
【００３１】
定着部３は、加圧ローラ３１が定着ベルト３０に圧接されることにより、定着ニップ部３３が形成される。定着ベルト３０に対して加圧ローラ３１を圧接させた状態で、加圧ローラ３１が回転駆動されるとともに、ヒータ３０ａに通電されることで、定着ニップ部３３で挟持された用紙Ｐが搬送されるとともに、圧力及び熱により画像が用紙Ｐに定着される。
【００３２】
画像形成装置１Ａは、原稿読取部１０を備える。原稿読取部１０は、走査露光装置の光学系により原稿の画像を走査露光し、その反射光をラインイメージセンサにより読み取り、これにより、画像信号を得る。なお、画像形成装置１Ａは、原稿を給紙する図示しない自動原稿搬送装置が上部に備えられる構成でも良い。
【００３３】
＜本実施の形態の画像形成装置の制御機能例＞
図２は、本実施の形態の画像形成装置の制御機能の一例を示す機能ブロック図である。画像形成装置１Ａは、用紙Ｐを給紙し、画像を形成して排紙する一連の制御を行う制御部１００を備える。制御部１００は制御手段の一例で、ＣＰＵ、ＭＰＵと称されるマイクロプロセッサと、ＲＡＭ、ＲＯＭ等のメモリを備える。
【００３４】
また、画像形成装置１Ａは、動作結果の履歴等を記憶する記憶手段としての記憶部１０１と、各種操作、用紙Ｐの坪量、サイズ、紙種等の選択、動作結果を取得したい用紙の選択等が行われる入力手段、及び、用紙単位の動作結果、判定結果等を表示する出力手段としての操作部１０２を備える。
【００３５】
画像形成装置１Ａで用紙Ｐに画像を形成する通常の動作ついて説明すると、制御部１００は、用紙搬送部２を制御して用紙Ｐを搬送する。制御部１００は、各画像形成部１１Ｙ、１１Ｍ、１１Ｃ、１１Ｂｋを制御して、清掃部１６で清掃、除電された感光体ドラム１２を帯電部１３で帯電させる。
【００３６】
制御部１００は、原稿読取部１０で原稿から取得した画像データ、あるいは、外部から取得した画像データに基づき、光書込部１４で画像に合わせて感光体ドラム１２に静電潜像を形成し、感光体ドラム１２の静電潜像を現像装置１５で現像してトナー像を形成する。
【００３７】
感光体ドラム１２に形成されトナー像は、中間転写ベルト１７に一次転写され、中間転写ベルト１７から用紙Ｐに二次転写される。そして、制御部１００は、定着部３を制御して画像を用紙Ｐに定着させ、画像が形成された用紙Ｐを排紙する。
【００３８】
上述した画像形成動作に関連して、制御部１００は、動作結果収集部１００ａにより、処理手段である用紙搬送部２、画像形成部１１及び定着部３等の各処理部から、画像を形成する一連のプロセスで動作結果を取得する。
【００３９】
用紙搬送部２では、入口センサ２０１での用紙の検知の有無、排紙センサ２０２での用紙の検知の有無が動作結果として取得される。また、用紙搬送部２では、入口センサ２０１での用紙の検知の有無、排紙センサ２０２での用紙の検知の有無から、用紙が投入されてから排出されるまでの時間が動作結果として取得される。更に、用紙搬送部２では、片寄検知センサ２００で検知された用紙の片寄り量が動作結果として取得される。
【００４０】
画像形成部１１では、２次転写部１８での２次転写ローラ１８ａの電流値が動作結果として取得される。また、画像形成部１１では、現像装置１５でのトナー濃度が動作結果として取得される。定着部３では、ヒータ３０ａの定着温度が動作結果として取得される。
【００４１】
制御部１００は、所定時間毎に各処理部から取得した動作結果を動作結果履歴として記憶部１０１に保存する。また、制御部１００は、用紙単位動作結果収集部１００ｂにより、動作結果履歴から任意の用紙の用紙単位動作結果履歴を収集する。
【００４２】
制御部１００は、動作結果を出力したい用紙を特定する用紙ＩＤ等の識別情報が操作部１０２での操作で選択されると、該当用紙の用紙単位動作結果履歴を操作部１０２で表示出力する。また、制御部１００は、該当用紙の用紙単位動作結果の基準となる規格値を取得し、用紙単位動作結果履歴と基準値を合わせて表示する。更に、制御部１００は、用紙単位動作結果履歴と基準値を比較し、障害の発生の有無、障害への対処方法を表示する。
【００４３】
＜本実施の形態の画像形成装置の動作例＞
図３は、用紙単位動作結果履歴を収集する動作の一例を示すフローチャートであり、動作結果履歴を保存して用紙単位動作結果履歴を収集する動作について説明する。
【００４４】
ジョブが開始されると、制御部１００は、図３のステップＳＡ１で、所定時間毎、例えば１０ｍｓ毎に用紙搬送部２、画像形成部１１、定着部３等の各処理部から取得した動作結果を動作結果履歴３００として記憶部１０１に保存する。
【００４５】
図４は、動作結果履歴の一例を示す説明図である。動作結果履歴３００は、本例では、入口センサ２０１での用紙の検知の有無、片寄検知センサ２００で検知された用紙の片寄り量、現像装置１５でのトナー濃度、２次転写部１８での転写電流値、定着部３での定着温度及び排紙センサ２０２での用紙の検知の有無が、所定の時間毎の時系列で記憶される。
【００４６】
ジョブを開始し、図３のステップＳＡ２で、Ｎ枚目の用紙に対する画像形成プロセスが開始されると、制御部１００は、図３のステップＳＡ３で、動作結果履歴３００に保存されたＮ枚目の用紙の動作結果を展開し、用紙単位動作結果履歴３０１を収集する。用紙単位動作結果履歴３０１では、用紙を識別する識別情報である用紙ＩＤが対応付けられる。なお、動作結果履歴３００における任意の用紙の動作結果を図４に網掛けをして示している。
【００４７】
図５は、用紙単位動作結果履歴の一例を示す説明図である。用紙単位動作結果履歴３０１は、用紙ＩＤ毎に本例では以下の情報が収集される。用紙単位動作結果履歴３０１は、入口センサ２０１での該当用紙の検知の有無から求められる入口センサ２０１が該当用紙を検知している時間、排紙センサ２０２での該当用紙の検知の有無から求められる排紙センサ２０２が該当用紙を検知している時間が収集される。
【００４８】
また、用紙単位動作結果履歴３０１は、片寄検知センサ２００で検知された該当用紙の片寄り量が収集される。更に、用紙単位動作結果履歴３０１は、現像装置１５での該当用紙現像時のトナー濃度、２次転写部１８での該当用紙へのトナー画像転写時の転写電流値、定着部３での該当用紙へのトナー画像の定着時の定着温度が収集される。
【００４９】
制御部１００は、図３のステップＳＡ４で、Ｎ枚目の用紙に対する画像形成プロセスが終了したと判断すると、Ｎ枚目の用紙に対する用紙単位動作結果履歴３０１の収集を終了する。
【００５０】
図６は、指定した用紙単位で動作結果の判定を行う動作の一例を示すフローチャートであり、ユーザが指定した用紙に対して動作結果の判定を行う動作について説明する。
【００５１】
制御部１００は、図６のステップＳＢ１で、操作部１０２に表示出力される操作メニューの中から、用紙単位動作結果履歴を取得し、指定された用紙に対する動作結果の判定を行う操作を選択させ、用紙を選択させる用紙選択画面を操作部１０２に表示する。
【００５２】
ユーザが排紙された紙を確認し、動作結果の判定を行いたい用紙を特定する識別情報、例えば、用紙の枚数等が用紙選択画面で入力されることにより、図６のステップＳＢ２で、動作結果の判定を行う用紙が指定される。
【００５３】
動作結果の判定を行う用紙が指定されると、制御部１００は、図６のステップＳＢ３で、動作結果の判定を規格値との比較で行うか、他用紙との比較で行うか選択させる判定基準選択画面を操作部１０２に表示する。
【００５４】
動作結果の判定を規格値との比較で行うと判断すると、制御部１００は、図６のステップＳＢ４で、規格値判定画面３０２を表示出力し、作業者等に通知する。
【００５５】
図７は、規格値判定画面の一例を示す説明図である。規格値判定画面３０２は、指定された用紙が入力される指定用紙入力項目３０２ａが表示出力される。また、指定された用紙の動作結果と、各動作結果の規格値が対応付けて表示出力される。
【００５６】
更に、制御部１００は、指定された用紙の動作結果と、各動作結果の規格値を比較し、所定の閾値に対する大小、用紙単位動作結果と規格値の差分の大小等に基づき異常の予測、推定を行って、各動作結果から判定した用紙の状態を表示出力する。更に、異常と判定した場合、異常を解消するための対処法を表示出力する。
【００５７】
動作結果の判定を他用紙との比較で行うと判断すると、制御部１００は、図６のステップＳＢ５で、他用紙比較判定画面３０３を表示出力し、作業者等に通知する。
【００５８】
図８は、他用紙比較判定画面の一例を示す説明図である。他用紙比較判定画面３０３は、指定された用紙が入力される指定用紙入力項目３０３ａと、比較対象の他用紙を選択させる比較対象用紙入力項目３０３ｂが表示出力される。また、他用紙比較判定画面３０３は、指定された用紙の動作結果と、比較対象の他用紙の動作結果が対応付けて表示出力される。
【００５９】
更に、制御部１００は、指定された用紙の動作結果と、他用紙の動作結果を比較し、所定の閾値に対する大小、用紙単位動作結果と他用紙の用紙単位動作結果の差分の大小等に基づき異常の予測、推定を行って、各動作結果の判定を表示出力する。更に、異常と判定した場合、異常を解消するための対処法を表示出力する。
【００６０】
図９は、異常の有無を判定した用紙単位で動作結果の判定を行う動作の一例を示すフローチャートであり、画像を読み取って異常があると判定した用紙に対して動作結果の判定を行う動作について説明する。
【００６１】
画像形成装置１Ａでは、用紙搬送部２において定着部３より下流側の主搬送路２３にラインセンサを備える。制御部１００は、用紙に転写、定着された画像をラインセンサで読み取り、画像が正常に形成されたか否かを判断する。
【００６２】
制御部１００は、図９のステップＳＣ１で、用紙に形成された画像の画質の異常、用紙に形成された画像の位置の異常、ジャムの発生等、異常の発生を検知すると、図９のステップＳＣ２で、異常の発生した用紙の用紙ＩＤを取得して、動作結果の判定を行う用紙を指定する。
【００６３】
動作結果の判定を行う用紙が指定されると、制御部１００は、図９のステップＳＣ３で、動作結果の判定を規格値との比較で行うか、他用紙との比較で行うか選択させる判定基準選択画面を操作部１０２に表示する。
【００６４】
動作結果の判定を規格値との比較で行うと判断すると、制御部１００は、図９のステップＳＣ４で、図７で説明した規格値判定画面３０２を表示出力する。動作結果の判定を他用紙との比較で行うと判断すると、制御部１００は、図９のステップＳＣ５で、図８で説明した他用紙比較判定画面３０３を表示出力する。
【００６５】
図１０は、他用紙比較判定において他用紙を選択する動作の一例を示すフローチャートで、動作結果を判定する用紙の前後の用紙から他用紙を選択する動作について説明する。上述したように、動作結果の判定を他用紙との比較で行うと判断すると、図８で説明した他用紙比較判定画面３０３の比較対象用紙入力項目３０３ｂを表示出力する。
【００６６】
比較対象用紙入力項目３０３ｂで比較対象となる他用紙の選択が行われなかった場合、または、自動選択が設定された場合は、制御部１００は、図１０のステップＳＤ１で、比較対象の他用紙を抽出する。比較対象の他用紙は、動作結果を判定する用紙の前または後の用紙で、かつ、動作結果を判定する用紙と坪量、サイズ、剛度等の紙種条件が同等の用紙が選択される。なお、動作結果を判定する用紙の前後両方の用紙を比較対象として選択しても良い。
【００６７】
比較対象の他用紙が抽出されると、制御部１００は、図１０のステップＳＤ２で、指定された用紙の動作結果と、この用紙の前後の他用紙の動作結果を比較し、各動作結果を判定して、図８で説明した他用紙比較判定画面３０３を表示出力する。
【００６８】
図１１は、他用紙比較判定において他用紙を選択する動作の他の例を示すフローチャートで、他用紙を選択させる動作について説明する。上述したように、動作結果の判定を他用紙との比較で行うと判断すると、図８で説明した他用紙比較判定画面３０３の比較対象用紙入力項目３０３ｂを表示出力する。
【００６９】
図１１のステップＳＥ１で、比較対象用紙入力項目３０３ｂで比較対象となる他用紙の選択が行われると、制御部１００は、図１１のステップＳＥ２で、指定された用紙の動作結果と、指定された比較対象の他用紙の動作結果を比較し、各動作結果を判定して、図８で説明した他用紙比較判定画面３０３を表示出力する。
【産業上の利用可能性】
【００７０】
本発明は、用紙にトナー画像を転写、定着させて画像を形成する画像形成装置、及び、画像形成装置に対して用紙を供給する装置、画像が形成された用紙に後処理を行う装置を備えた画像形成システムに適用される。
【符号の説明】
【００７１】
１Ａ・・・画像形成装置、２・・・用紙搬送部、３・・・定着部、１１・・・画像形成部、１００・・・制御部、１０１・・・記憶部、１０２・・・操作部
【図１】
2018157392.tif 000003
【図２】
2018157392.tif 000004
【図３】
2018157392.tif 000005
【図４】
2018157392.tif 000006
【図５】
2018157392.tif 000007
【図６】
2018157392.tif 000008
【図７】
2018157392.tif 000009
【図８】
2018157392.tif 000010
【図９】
2018157392.tif 000011
【図１０】
2018157392.tif 000012
【図１１】
2018157392.tif 000013